【手続補正書】
【提出日】平成16年3月12日(2004.3.12)
【手続補正１】
【補正対象書類名】明細書
【補正対象項目名】全文
【補正方法】変更
【補正の内容】
【発明の名称】操作スティックの支持構造
【特許請求の範囲】
【請求項１】操作スティックを構成する金属製軸棒（１）と、該金属製軸棒（１）が挿通される軸挿通孔（５ａ）を有する支持板（４ａ）と、前記金属製軸棒（１）の中間部に設けられた挿通止め段部（３）と、前記金属製軸棒（１）が支持板（４ａ）の軸挿通孔（５ａ）に上下に挿入されて前記挿通止め段部（３）で挿通止めされたとき、下方へ突出する軸棒部分（１ｃ）に同軸縮装されて前記軸棒（１）を下方側へと弾性的に引っ張るコイルバネ（８）と、を有する操作スティックの支持構造であって、
前記支持板上の軸挿通孔（５ａ）の内周面は合成樹脂（５）にて形成されており、かつ前記軸孔挿通孔（５ａ）の上側開口内周縁部には曲面状斜面（５ｃ）が、また下側開口内周縁部には曲面状斜面（５ｄ）がそれぞれ形成されている、ことを特徴とする操作スティックの支持構造。
【請求項２】金属製軸棒（１）の挿通止め段部（３）と支持板（４ａ）との接触点は、樹脂と金属との接触とされている、請求項１に記載の操作スティックの支持構造。
【発明の詳細な説明】
【０００１】
【発明の属する技術分野】
この発明は、いわゆるバチスロの起動スイッチ等への採用に好適な操作スティックの支持構造に係り、特に、スティックの起倒動作に際する金属同士の接触を可及的に減らして操作感覚並びに耐久性を向上させた低コストタイプの操作スティックの支持構造に関する。
【０００２】
【従来の技術】
この種の操作スティックの支持構造としては、例えば、特開昭５６−１３８８３３号公報の図４乃至図５に記載されたものが知られている。この支持構造は、操作スティックを構成する金属製軸棒（円棒状のハンドル２）と、該金属製軸棒が挿通される軸挿通孔（円孔３ａ）を有する金属製支持板（スイッチ取付板３）と、前記金属製軸棒の中間部に設けられた挿通止め段部（段付部２ｂ）と、前記金属製支持板よりも下方へ突出する軸棒部分に同軸縮装されて前記軸棒を下方側へと弾性的に引っ張るコイルバネ（コイルバネ５）と、を有する。なお、括弧で囲まれた名称並びに符号は、同公報中で使用のものを引用する。
【０００３】
以上の構成において、金属製軸棒に傾動操作力が付与されると、金属製軸棒は、挿通止め段部の外周縁部下面と金属製支持板上面との接点を支点として、軸挿通孔から上方へと僅かに抜け出しつつ回動して傾動する。傾動操作力が解除されると、金属製軸棒は、挿通止め段部の外周縁部下面と金属製支持板上面との接点を支点として、コイルバネの力で、軸挿通孔へと引き込まれつつ逆方向へ回動して元の直立状態へ復帰する。
【０００４】
かかる構造によれば、金属製棒材に対する段付加工や板金加工で製作できることから、高価な金型を必要とする樹脂製の球面軸受け等を採用する従来の支持構造に比べて、低コストに製作できる利点がある。
【０００５】
【発明が解決しようとする課題】
しかしながら、上述の従来構造にあっては、スティックの傾動の際の回動支点となる挿通止め段部の外周縁部下面と金属製支持板上面との接点において、金属同士の接触が生ずることから、操作感覚が良くないこと、回動支点で磨耗が生じて耐久性が低下すること、異音が発生すること、等の問題がある。
【０００６】
加えて、金属製軸棒は、挿通止め段部の外周縁部下面と金属製支持板上面との接点を支点として、軸挿通孔から上方へと僅かに抜け出しつつ回動して傾動することから、軸挿通孔の内周と軸棒外周との間においても、金属同士の接触乃至摺動が生じて、同様な問題が生じていた。
【０００７】
この発明は、上述の問題点に着目してなされたものであり、その目的とするところは、スティックの起倒動作に際する金属同士の接触を可及的に減らして操作感覚並びに耐久性を向上させた低コストタイプの操作スティックの支持構造を提供することにある。
【０００８】
【課題を解決するための手段】
本発明の支持構造は、操作スティックを構成する金属製軸棒（１）と、該金属製軸棒（１）が挿通される軸挿通孔（５ａ）を有する支持板（４ａ）と、前記金属製軸棒（１）の中間部に設けられた挿通止め段部（３）と、前記金属製軸棒（１）が支持板（４ａ）の軸挿通孔（５ａ）に上下に挿入されて前記挿通止め段部（３）で挿通止めされたとき、下方へ突出する軸棒部分（１ｃ）に同軸縮装されて前記軸棒（１）を下方側へと弾性的に引っ張るコイルバネ（８）と、を有する操作スティックの支持構造である。
【０００９】
この支持構造は、前記軸挿通孔（５ａ）の内周面は合成樹脂（５）にて形成されており、かつ前記軸孔挿通孔（５ａ）の上側開口内周縁部には曲面状斜面（５ｃ）が、また下側開口内周縁部には曲面状斜面（５ｄ）がそれぞれ形成されている、ことを特徴とする。
【００１０】
このような構成によれば、金属製軸棒とそれが挿通される軸挿通孔との接触が、樹脂と金属とを介して行われることに加えて、軸孔挿通孔（５ａ）の上側開口内周縁部には曲面状斜面（５ｃ）が、また下側開口内周縁部には曲面状斜面（５ｄ）がそれぞれ形成されているため、金属製軸棒（１）の傾動時の動きが大きく許容され、操作感覚の改善、異音発生の減少、耐久性の向上が図られる。
【００１１】
このとき、金属製軸棒（１）の挿通止め段部（３）と支持板（４ａ）との接触点を、樹脂と金属の接触としてもよい。
【００１２】
このような構成によれば、操作感覚の一層の改善、異音発生の一層の減少、耐久性の一層の向上を図ることができる。
【００１３】
【発明の実施の形態】
以下に、この発明の好適な実施の一形態を添付図面を参照しつつ詳細に説明する。
【００１４】
先ず、本発明の第１実施形態を図１乃至図４を参照して説明する。図１は本発明に係る起倒スティック式指示装置の第１実施形態を示す分解斜視図、図２は同第１実施形態に係る起倒スティック式指示装置の組立状態における斜視図、図３は同第１実施形態に係る起倒スティック式指示装置の組立状態における要部拡大縦断面図、図４は同第１実施形態に係る起倒スティック式指示装置の動作説明図である。
【００１５】
先に説明したように、本発明に係る起倒スティック式支持装置に採用されている操作スティックの支持構造は、基本的には、操作スティックを構成する金属製軸棒と、該金属製軸棒が挿通される軸挿通孔を有する金属製支持板と、前記金属製軸棒の中間部に設けられた挿通止め段部と、前記金属製支持板よりも下方へ突出する軸棒部分に同軸縮装されて前記軸棒を下方側へと弾性的に引っ張るコイルバネと、を有するものである。
【００１６】
本発明の主たる特徴とするところは、以上の基本的な構成に加えて、前記挿通止め段部を合成樹脂にて形成すると共に、前記軸挿通孔の内周面を合成樹脂製の軸孔形成環にて被覆し、これにより、挿通止め段部と金属製支持板との接触に加えて、金属製軸棒とそれが挿通される軸挿通孔との接触についても、樹脂と金属とを介して行なうように構成し、操作感覚の改善、異音発生の減少、耐久性の向上を図ったことにある。
【００１７】
図１並びに図３において、符号１が付されているのが、操作スティックを構成する金属製の軸棒である。図示の軸棒１は断面円形の金属製棒材からなり、操作端となる上側部分と作動端となる下側部分とを有する。ここで、上側部分には、操作用の球状握り部２にねじ込まれるねじ部１ａと、所定長さの大径部分１ｂとが形成されている。下側部分には、所定長さの小径部分１ｃと、後述するＥ型止め具１２が嵌合される環状溝１ｄとが形成されている。そのため、上側部分と下側部分との中間部分には、操作端側が大径で作動端側が小径となる段部１ｅが存在する。
【００１８】
金属製の軸棒１の段部１ｅの外周には、合成樹脂製の段部キャップ３が装着される。図３に示されるように、段部キャップ３は、段部１ｅの大径部分１ｂと適合する内径を有する短筒部３ａと、段部１ｅの小径部分１ｃが挿通される挿通孔３ｃを有する下面が平坦な環状底部３ｂとを樹脂により一体成形してなるものである。このようにして金属製の軸棒１に装着された合成樹脂製の段部キャップ３は、挿通止め段部として機能する。
【００１９】
段部キャップ３が装着された金属製軸棒１の小径部分は１ｃは、金属製支持板の軸挿通孔へと挿入される。図１において、符号４が付されているのが金属製支持板となる部分を含むスティック取付金具である。このスティック取付金具４は、支持板として機能する水平部４ａと、この水平部４ａの両端部から垂直下向きに延出されたスペーサ部４ｂ，４ｃと、これらスペーサ部４ｂ，４ｃの下端部から水平方向へと延出されるＴ字状フランジ部４ｄ，４ｅとを有する。図３に示されるように、水平部４ａの中央に穿設された円形の軸挿通孔４ｆは、軸棒１の小径部１ｃの外径よりも十分に大きな内径を有する。軸棒１の小径部１ｃの外径と軸挿通孔４ｆの内径との差は、後述する、軸孔形成環の肉厚にほぼ等しい。
【００２０】
スティック取付金具４の水平部４ａの下面には、図１に示されるように、円盤状外形を有する合成樹脂製の軸孔形成板５が配置される。軸孔形成板５の中心には、軸棒１の小径部分１ｃが挿入されるべき軸挿通孔５ａが存在する。図３に示されるように、この軸挿通孔５ａの内径は、軸棒１の傾動時の動きを許容すべく、軸棒１の小径部１ｂの外径よりも僅かに大きく設定される。軸挿通孔５ａの周囲には、スティック取付金具４の水平部４ｆに存在する軸挿通孔４ｆの内径とほぼ同径の外径を有する環状突部５ｂが形成されている。この環状突部５ｂが合成樹脂製の軸孔形成環として機能する。軸孔挿通孔５ａの上側開口内周縁部には曲面状斜面５ｃが、また下側開口内周縁部には曲面状斜面５ｄが設けられ、これらによっても、軸棒１の傾動時の動きが許容される。
【００２１】
図３の組立図を参照して明らかなように、スティック取付金具４の下面側に軸孔形成板５を、軸心を整合させた状態で重ねると、軸孔形成板５の環状突部５ｂがスティック取付金具４側の軸挿通孔４ｆに下から嵌入され、これにより、内周面が合成樹脂製の軸孔形成環で被覆された軸挿通孔が完成する。
【００２２】
軸孔形成環を構成する環状突部５ｂの突出高さは、スティック取付金具４の水平部４ａの厚さとほぼ等しく設定される。また、環状突部５ｂの肉厚は、軸棒１の小径部１ｃとの繰り返し接触乃至摺動に耐えうる強度を考慮して設定される。一方、合成樹脂製の段部キャップ３の外径は、軸棒１に要求される傾動角度や傾斜時の回動軌跡等を考慮して設定される。
【００２３】
合成樹脂製段部キャップ３の外径が、合成樹脂製環状突部５ｂの外径よりも十分に大きければ、段部キャップ３の外周縁部は水平部４ａを構成する金属面の上に位置する。この場合、軸棒１が傾動する際の回動支点においては樹脂（段部キャップ３の底面）と金属（水平部４ａの上面）との接触が確保される。合成樹脂製段部キャップ３の外径が、合成樹脂製環状突部５ｂの外径とほぼ等しいかそれよりも小さければ、段部キャップ３の外周縁部は水平部４ａを構成する金属面の上から外れ、環状突部５ｂの端面の上に位置する。この場合、軸棒１が傾動する際の回動支点においては、樹脂同士（段部キャップ３の底面と環状突部５ｂの上端面）の接触が生じて、好ましくない。
【００２４】
このような場合には、図１並びに図３に示されるように、合成樹脂製段部キャップ３の下面とスイッチ取付金具４の水平部４ａの上面との間には、金属製の座金６が介在される。この金属製座金６は、水平部４ａの軸挿通孔４ｆの内径よりも十分に大きな外径を有し、かつその中心には、軸棒１の下側部分１ｃの外径よりも僅かに大きな中心孔が明けられている。そのため、段部キャップ３の外周縁部は金属製座金６の上に位置することとなり、軸棒１が傾動する際の回動支点においては樹脂と金属との接触が確保される。
【００２５】
スティック取付金具４の水平部４ｆと軸孔形成板５との積層体に、座金６を介して、金属製軸棒１を上から下へと挿入して、合成樹脂製の段部キャップ３にて挿通止めした状態において、軸孔形成板５の軸挿通孔５ａから下方へ突出する棒状部分（小径部分１ｃ）には、これと同軸に縮装されて、軸棒１を下方へと引っ張ると共に、軸孔形成板５をスティック取付金具４の水平部４ａへと押し付けるコイルばね８が設けられている。すなわち、軸孔形成板５の軸挿通孔５ａから下方へ突出する棒状部分には、上から順に、金属製座金７、コイルばね８、ばね受け皿９、金属製座金１０、合成樹脂製作動筒１１が同軸に外挿され、コイルばね８を縮めた状態において、Ｅ型留め具１２を環状溝１ｅに嵌め込むことで軸棒１に一体的に装着される。そのため、圧縮されたコイルばね８の反発力は、軸棒１の下端部と軸孔形成板５との間で作用することとなり、軸棒１は下方へと引っ張られる一方、軸孔形成板５はスティック取付金具４の水平部４ａへと押し付けられることとなる。
【００２６】
かくして、挿通止め段部が合成樹脂にて形成されかつ軸挿通孔の内周面が合成樹脂製の軸孔形成環にて被覆された操作スティックの支持構造が完成する。
【００２７】
同操作スティックの支持構造を採用する起倒スティック式指示装置にあっては、軸孔形成板５の軸挿通孔５ａから下方へ突出する棒状部分（小径部分１ｃ）の傾動を検出して対応する電気信号を出力する傾動検出器が設けられる。この傾動検出器の検出出力が目的とする指示信号として外部に送出される。
【００２８】
傾動検出器としては、傾動の有無に応じた２値信号を出力するもの、傾動角度に応じた値をアナログ若しくはデジタルで出力するもの、傾動角度に応じたパルス列を出力するもの、等のように種々の方式のものを採用できる。傾動検出器の個数は、傾動方位数（２方向、４方向、８方向等）に応じて適宜数とすることができる。
【００２９】
図１乃至図４に示される例は、傾動方位数（ガイド方向）が２方向でかつ検出方式が２値信号方式の場合である。すなわち、軸孔形成板５の軸挿通孔５ａから下方へ突出する棒状部分（小径部分１ｃ）の一側部には、当該棒状部分の傾動と直接若しくは間接に接触して作動する押しボタン式のマイクロスイッチが配置される。
【００３０】
図１において、符号１４が付されているのが、傾動方位を２方向に規定するためのガイド板１５と傾動検出器として機能するマイクロスイッチ１３とを固定するための部品取付金具である。部品取付金具１４は、中央に円形開口１４ａを有する矩形平板状の金具本体部分１４ｂと、この金具本体部分１４ｂの両端部から突出する幾分幅の狭い矩形平板状の取付領域部分１４ｃ，１４ｄとを有する。部品取付金具１４とスティック取付金具４とは、ねじ孔１４ｅと４ｄ並びにねじ孔１４ｆと４ｈとをそれぞれ整合させた状態で、２本のねじ１６ａ，１６ｂにより一体に結合される。結合状態においては、スティック取付金具４の水平部４ａと部品取付金具の金具本体部分１４ｂとが所定間隙を隔てて平行に対向する。
【００３１】
ガイド板１５は、円盤状外形を有する合成樹脂製の板である。ガイド板１５の中央に位置する円形領域１５ａは、全体的に下方へ一段陥没しており、その分だけ下面側は一段突出乃至隆起している。この下面突出部が部品取付金具１４の円形開口１４ａに挿入嵌合される。加えて、ガイド板１５の下面から突出する４個の突起（図示せず）が位置決め孔１４ｌ〜１４ｏに挿入嵌合されて、両者の位置決めがなされる。円形領域１５ａには、長孔状の透孔である２方向ガイド孔１５ｂが存在する。ガイド板１５と部品取付金具１４とは、ねじ孔１５ｃ〜１５ｆとねじ孔１４ｇ〜１４ｊとを整合させた状態において、４本のねじ１７ａ〜１７ｄにより一体に結合される。結合状態においては、２方向ガイド孔１５ｂは予定された軸棒１の傾動方位に向けられている。
【００３２】
マイクロスイッチ１３は、ヒンジレバー１３ａを介して押しボタン３ｂを作動させるタイプのものである。マイクロスイッチ１３は、貫通孔１３ｃ，１３ｄとねじ孔１４ｐ，１４ｑとを整合させた状態において、２本の長ねじ１８ａ，１８ｂにより、部品取付金具１４の下面に固定される。固定状態においては、マイクロスイッチ１３のヒンジレバー１３ａは、軸棒１の小径部分１ｃの傾動方向前方に対向して配置される。
【００３３】
以上の構成よりなる起倒スティック式指示装置１００の動作が図４に示されている。同図（ａ）は傾動操作力が付与されていない状態、同図（ｂ）は傾動操作力が付与されている状態を示している。
【００３４】
図４（ａ）に示されるように、球状握り部２に対して傾動操作力が作用していない状態では、操作スティックを構成する軸棒１の大径部１ｂは、圧縮されたコイルばね８の反発力によって軸棒１の全体が下方に引っ張られることにより、直立状態（起立状態）に保たれている。この状態では、軸棒１の下部に被せられた作動筒１１とヒンジレバー１３ａとは非接触の状態に維持され、マイクロスイッチ１３は非作動状態とされている。
【００３５】
図４（ｂ）に示されるように、球状握り部２に対して傾動操作力が作用している状態では、操作スティックを構成する軸棒１の大径部１ｂは、合成樹脂製の段部キャップ３の底面外周縁部と金属製の座金６の上面との接点Ｐを支点として回動しつつ傾動する。この状態では、軸棒１の下部に被せられた作動筒１１とヒンジレバー１３ａとは接触して押しボタン１３ｂは押し込まれ、マイクロスイッチ１３は作動状態とされている。
【００３６】
接点Ｐを支点とする軸棒１の回動に際しては、軸棒１の小径部分１ｃは、軸挿通孔から僅かに上方へと引き抜かれる。しかしながら、本発明にあっては、合成樹脂製の段部キャップ３の底面外周縁部と金属製の座金６の上面との接点Ｐにおいては、樹脂と金属との接触が確保されており、加えて、軸棒１の小径部分１ｃと軸挿通孔内周との接触乃至摺動に関しても、金属と樹脂との接触が確保されている。このため、接点Ｐを支点とする回動は滑らかに行われ、起倒操作に際する操作感覚は良好であり、金属同士の場合のように異音の発生もなく、磨耗も少なく耐久性も良好なものとなる。なお、傾動操作力が取り除かれると、半径方向へ不均等に圧縮されたコイルばね８の反発力により、軸棒１の全体は直立状態に復帰する。
【００３７】
次に、本発明の第２実施形態を図５乃至図７を参照して説明する。図５は本発明に係る起倒スティック式指示装置の第２実施形態を示す分解斜視図、図６は同第２実施形態に係る起倒スティック式指示装置の組立状態における斜視図、図７は同第２実施形態に係る起倒スティック式指示装置の動作説明図である。
【００３８】
なお、この第２実施形態については、前記第１実施形態と同一構成部分については同符号を付すことにより、説明は省略する。この第２実施形態の特徴は、傾動検出器として、フォトインタラプタを採用することにより、軸棒の傾動を非接触で検出するように構成し、これにより耐久性の向上を図ったこと、並びに、傾動検出部を同軸に配置することで、軸を中心とする半径方向への省スペース化を図ったことにある。
【００３９】
図５において、符号１９が付されているのが、フォトインタラプタ組立体である。このフォトインタラプタ組立体１９は、抜け止め突起を有する下向き楔状の樹脂クリップ部分１９ａ，１９ｂと信号取り出し用のコネクタ部分１９ｃとを一体成形してなる合成樹脂製の台座１９ｄの上に、フォトインタラプタ素子１９ｅを接着固定したものである。
【００４０】
符号２０が付されているのが、フォトインタラプタ取付金具である。このフォトインタラプタ取付金具２０は、水平部２０ａと、この水平部２０ａの両端部から垂直上向きに延出されたスペーサ部２０ｂ，２０ｃと、スペーサ部２０ａ，２０ｃの上端部から水平に延出されるフランジ部２０ｄ，２０ｅとを有する。水平部２０ａには、水平部２０ａの中心点を挟んで対称的な位置となるようにして、２個の矩形孔２０ｆ，２０ｇが設けられている。
【００４１】
フォトインタラプタ組立体１９とフォトインタラプタ取付金具２０とは、樹脂クリップ部分１９ａ，１９ｂを矩形孔２０ｆ，２０ｇに差し込むんで抜け止めさせることにより、一体的に結合される。フォトインタラプタ取付金具２０と部品取付金具１４とは、ねじ孔２０ｈ，２０ｉとねじ孔１４ｐ，１４ｒとを整合させた状態において、ねじ２１ａ，２１ｂを使用して一体的に結合される。結合状態においては、フォトインタラプタ素子１９ｅは軸棒１の軸心延長上の真下に位置している。
【００４２】
軸棒１の小径部分１ｃの下端部には、さらにそれよりも小径な丸棒状の遮光部分１ｆが延出されている。そして、この遮光部分１ｆが、フォトインタラプタ素子１９ｅの投受光器間の光路を常時遮るように設定される。
【００４３】
以上の構成よりなる起倒スティック式指示装置１００の動作が図７に示されている。同図（ａ）は傾動操作力が付与されていない状態、同図（ｂ）は傾動操作力が付与されている状態を示している。
【００４４】
図７（ａ）に示されるように、球状握り部２に対して傾動操作力が作用していない状態では、操作スティックを構成する軸棒１の大径部１ｂは、圧縮されたコイルばね８の反発力によって軸棒１の全体が下方に引っ張られることにより、直立状態（起立状態）に保たれている。この状態では、軸棒１の下端部に位置する遮光部分１ｆは、フォトインタラプタ素子１９ｅの投受光器間の間隙に位置して、光路を遮断している。そのため、フォトインタラプタ素子１９ｅの受光器には光が到達しない。
【００４５】
図７（ｂ）に示されるように、球状握り部２に対して傾動操作力が作用している状態では、操作スティックを構成する軸棒１の大径部１ｂは、合成樹脂製の段部キャップ３の底面外周縁部と金属製の座金６の上面との接点Ｐを支点として回動しつつ傾動する。この状態では、軸棒１の下端部に位置する遮光部分１ｆは、フォトインタラプタ素子１９ｅの投受光器間の間隙を外れた位置にあり、光路は開かれている。そのため、フォトインタラプタ素子１９ｅの受光器には光が到達する。
【００４６】
接点Ｐを支点とする軸棒１の回動に際しては、軸棒１の小径部分１ｃは、軸挿通孔から僅かに上方へと引き抜かれる。しかしながら、本発明にあっては、合成樹脂製の段部キャップ３の底面外周縁部と金属製の座金６の上面との接点Ｐにおいては、樹脂と金属との接触が確保されており、加えて、軸棒１の小径部分１ｃと軸挿通孔内周との接触乃至摺動に関しても、金属と樹脂との接触が確保されている。このため、接点Ｐを支点とする回動は滑らかに行われ、起倒操作に際する操作感覚は良好であり、金属同士の場合のように異音の発生もなく、磨耗も少なく耐久性も良好なものとなる。なお、傾動操作力が取り除かれると、半径方向へ不均等に圧縮されたコイルばね８の反発力により、軸棒１の全体は直立状態に復帰する。
【００４７】
【発明の効果】
以上の説明で明らかなように、この発明によれば、スティックの起倒動作に際する金属同士の接触を可及的に減らして操作感覚並びに耐久性を向上させた低コストタイプの操作スティックの支持構造を提供することができる。
【図面の簡単な説明】
【図１】本発明に係る起倒スティック式指示装置の第１実施形態を示す分解斜視図である。
【図２】同第１実施形態に係る起倒スティック式指示装置の組立状態における斜視図である。
【図３】同第１実施形態に係る起倒スティック式指示装置の組立状態における要部拡大縦断面図である。
【図４】同第１実施形態に係る起倒スティック式指示装置の動作説明図である。
【図５】本発明に係る起倒スティック式指示装置の第２実施形態を示す分解斜視図である。
【図６】同第２実施形態に係る起倒スティック式指示装置の組立状態における斜視図である。
【図７】同第２実施形態に係る起倒スティック式指示装置の動作説明図である。
【符号の説明】
１        金属製の軸棒
１ａ      ねじ部
１ｂ      大径部分
１ｃ      小径部分
１ｅ      段部
１ｆ      遮光部分
２        球状握り部
３        合成樹脂製の段部キャップ
４        スティック取付金具
４ａ      支持板として機能する水平部
４ｂ，４ｃ      スペーサ部
４ｄ，４ｅ      フランジ部
４ｆ            軸挿通孔
４ｇ，４ｈ      ねじ孔
５        軸孔形成板
５ａ      軸挿通孔
５ｂ      環状突部
５ｃ，５ｄ      曲面状斜面
６        金属製の座金
７        金属製の座金
８        コイルばね
９        バネ受け皿
１０      金属製の座金
１１      合成樹脂製の作動筒
１２      Ｅ型止め具
１３      マイクロスイッチ
１３ａ    ヒンジレバー
１３ｂ    押しボタン
１３ｃ，１３ｄ    貫通孔
１４      部品取付金具
１４ａ    円形開口
１４ｂ    金具本体部分
１４ｃ，１４ｄ    取付領域部分
１４ｅ〜１４ｊ，１４ｐ，１４ｑ      ねじ孔
１４ｌ〜１４ｏ    位置決め孔
１５      合成樹脂製のガイド板
１５ａ    円形領域
１５ｂ    ２方向ガイド孔
１５ｃ〜１５ｆ    ねじ孔
１６ａ，１６ｂ    ねじ
１７ａ〜１７ｄ    ねじ
１８ａ，１８ｂ    ねじ
１９      フォトカプラ組立体
１９ａ，１９ｂ    樹脂クリップ部分
１９ｃ    コネクタ部分
１９ｄ    台座
１９ｅ    フォトカプラ素子
２０      フォトカプラ取付金具
２０ａ    水平部
２０ｂ，２０ｃ    スペーサ部
２０ｄ，２０ｅ    フランジ部
２０ｆ，２０ｇ    矩形孔
２０ｈ，２０ｉ    ねじ孔
２１ａ，２１ｂ    ねじ